(57)【要約】【課題】複数の画像データのうち関連する画像データの選択を簡易かつ効率的に行うとともに、選択された画像データを順次再生表示することのできる画像再生装置及び画像再生方法を提供することである。【解決手段】画像データを識別するための識別情報を画像データと関連付けて記憶し、特定の識別情報が指定された際に、この指定された識別情報に関連する画像データを抽出して関連画像リストを生成し、この生成された関連画像リストに登録された画像データを取得して順次再生表示する。【選択図】図３
2005295374.tif 000002
【特許請求の範囲】
【請求項１】
画像データを再生表示する表示手段と画像データを記憶する記憶手段とを備える画像再生装置において、
前記画像データを識別するための識別情報を前記画像データと関連付けて前記記憶手段に記憶させる記憶制御手段と、
前記識別情報のうち特定の識別情報を指定するための入力手段と、
前記入力手段より指定された識別情報に関連する画像データを前記記憶手段から抽出する抽出手段と、
前記抽出された画像データを登録するための関連画像リストを生成する生成手段と、
前記生成された関連画像リストに登録された画像データを前記記憶部から取得して前記表示手段に順次再生表示させる制御を行う表示制御手段と、
を備えたことを特徴とする画像再生装置。
【請求項２】
外部と画像データの送受信を行う送受信手段をさらに備え、
前記識別情報は、前記送受信手段による画像データの送受信を行うためのアドレス情報及び当該アドレス情報の所有者を示す所有者情報とを含むことを特徴とする請求項１に記載の画像再生装置。
【請求項３】
前記アドレス情報と所有者情報とを対応付けて記憶するアドレス情報記憶手段をさらに備え、
前記抽出手段は、前記入力手段により指定されたアドレス情報又は所有者情報に関連する画像データを前記アドレス情報記憶手段に記憶された情報に基づいて前記記憶手段から抽出することを特徴とする請求項２に記載の画像再生装置。
【請求項４】
前記抽出手段は、前記入力手段により特定の所有者情報が指定された際に、当該所有者情報に対応付けて前記アドレス情報記憶手段に記憶された全てのアドレス情報に関連する画像データを前記記憶手段から抽出することを特徴とする請求項３に記載の画像再生装置。
【請求項５】
前記送受信の際の情報を示す送受信情報を記憶する送受信情報記憶手段をさらに備え、
前記識別情報は、前記送受信情報が有する情報を含み、
前記抽出手段は、前記入力手段より指定された送受信情報に関連する画像データを前記アドレス情報記憶手段及び送受信情報記憶手段に記憶された情報に基づいて前記記憶手段から抽出することを特徴とする請求項３に記載の画像再生装置。
【請求項６】
画像データを再生表示する表示手段と画像データを記憶する記憶手段とを備える画像再生装置における画像再生方法であって、
前記画像データを識別するための識別情報を前記画像データと関連付けて前記記憶手段に記憶させる記憶制御工程と、
前記識別情報のうち特定の識別情報を指定するための入力工程と、
前記入力工程で指定された識別情報に関連する画像データを前記記憶手段から抽出する抽出工程と、
前記抽出された画像データを登録するための関連画像リストを生成する生成工程と、
前記生成された関連画像リストに登録された画像データを前記記憶手段から取得して前記表示手段に順次再生表示させる表示制御工程と、
を含むことを特徴とする画像再生方法。
【請求項７】
外部と画像データの送受信を行う送受信工程をさらに含み、
前記識別情報は、前記送受信工程で画像データの送受信を行うためのアドレス情報及び当該アドレス情報の所有者を示す所有者情報とを含むことを特徴とする請求項６に記載の画像再生方法。
【請求項８】
前記アドレス情報と所有者情報とを対応付けて記憶するアドレス情報記憶工程をさらに備え、
前記抽出工程は、前記入力工程で指定されたアドレス情報又は所有者情報に関連する画像データを前記アドレス情報記憶工程で記憶された情報に基づいて抽出することを特徴とする請求項７に記載の画像再生方法。
【請求項９】
前記抽出工程は、前記入力工程で特定の所有者情報が指定された際に、当該所有者情報に対応付けて前記アドレス情報記憶工程で記憶された全てのアドレス情報に関連する画像データを前記記憶手段から抽出することを特徴とする請求項８に記載の画像再生方法。
【請求項１０】
前記送受信の際の情報を示す送受信情報を記憶する送受信情報記憶工程をさらに備え、
前記識別情報は、前記送受信情報が有する情報を含み、
前記抽出工程は、前記入力工程で指定された送受信情報に関連する画像データを前記アドレス情報記憶工程及び送受信情報記憶工程で記憶された情報に基づいて抽出することを特徴とする請求項８に記載の画像再生方法。
【発明の詳細な説明】
【技術分野】
【０００１】
本発明は、画像データを再生表示する画像再生装置及び画像再生方法に関する。
【背景技術】
【０００２】
近年、被写体を電子的に撮影するデジタルカメラやデジタルカメラ機能を有した携帯電話端末等の撮像装置が知られている。このような撮像装置では、レンズを通してＣＣＤ（Charge Coupled Device）等の撮像素子で取り込んだデジタル画像データが所定のフォルダや記憶領域に記憶されており、ユーザの操作により記憶された画像データを表示することができる。また、画像データの表示を行う際に、画像データが記憶されたフォルダ指定することで、このフォルダ内に含まれる全ての画像データを所定の順序に従って一定時間ずつ順次再生表示させる、いわゆるスライドショー表示機能を有する装置が提案されている（例えば、特許文献１）。この機能により、ユーザは煩雑な操作をすることなく全ての画像データを閲覧し楽しむことができる。また、プレイヤーと呼ばれる機能を有する装置も登場してきている。これは、ユーザが表示したい画像データを選択し、この選択された画像データを順次表示させるためのプレイリストを生成した後、このプレイリストに基づいて画像データをリスト順又はランダムに再生表示するというものである。
【特許文献１】特開２００２−１５２５５７号公報
【発明の開示】
【発明が解決しようとする課題】
【０００３】
しかしながら、特許文献１の装置では、指定したフォルダ内に含まれる全ての画像データがスライドショー表示されてしまうため、表示させたくないものまでもが表示されてしまうという問題がある。例えば、指定したフォルダ内の画像データのうち、特定の日付情報を有する画像データや特定のサイトからダウンロードした画像データ等、所定の関連性をもった画像データだけをスライドショー表示させたい場合には、その関連性のある画像データ以外の画像データをフォルダから移動するか、或いは、関連性のある画像データだけを別のフォルダに移動し、その別フォルダを改めてスライドショー表示のプレイ先フォルダとして指定しなければならない。そのため、操作が煩雑となり、非常に煩わしいものとなっている。
【０００４】
また、プレイヤー機能において、所定の関係性を持った画像データのプレイリストを作成することでスライドショー表示を所望する画像データのみ表示させることは可能であるが、プレイリスト作成までの操作が煩雑であるため非効率的であり、非常に煩わしいものとなっている。
【０００５】
本発明の課題は、複数の画像データのうち関連する画像データの選択を簡易かつ効率的に行うとともに、選択された画像データを順次再生表示することのできる画像再生装置及び画像再生方法を提供することである。
【課題を解決するための手段】
【０００６】
上記課題を解決するために、請求項１に記載の発明は、
画像データを再生表示する表示手段と画像データを記憶する記憶手段とを備える画像再生装置において、
前記画像データを識別するための識別情報を前記画像データと関連付けて前記記憶手段に記憶させる記憶制御手段と、
前記識別情報のうち特定の識別情報を指定するための入力手段と、
前記入力手段より指定された識別情報に関連する画像データを前記記憶手段から抽出する抽出手段と、
前記抽出された画像データを登録するための関連画像リストを生成する生成手段と、
前記生成された関連画像リストに登録された画像データを前記記憶部から取得して前記表示手段に順次再生表示させる制御を行う表示制御手段と、
を備えたことを特徴としている。
【０００７】
請求項２に記載の発明は、請求項１に記載の発明において、
外部と画像データの送受信を行う送受信手段をさらに備え、
前記識別情報は、前記送受信手段による画像データの送受信を行うためのアドレス情報及び当該アドレス情報の所有者を示す所有者情報とを含むことを特徴としている。
【０００８】
ここで、「アドレス情報」とは、電子メールアドレス、ＵＲＬ（Uniform Resource Locater）、ＩＰアドレス等の画像データの送受信を行うためにユニークに定められた情報を意味する。また「所有者情報」とは、電子メールアドレス毎に対応付けられたユーザ名、ニックネーム等の情報を意味する。
【０００９】
請求項３に記載の発明は、請求項２に記載の発明において、
前記アドレス情報と所有者情報とを対応付けて記憶するアドレス情報記憶手段をさらに備え、
前記抽出手段は、前記入力手段により指定されたアドレス情報又は所有者情報に関連する画像データを前記アドレス情報記憶手段に記憶された情報に基づいて前記記憶手段から抽出することを特徴としている。
【００１０】
請求項４に記載の発明は、請求項３に記載の発明において、
前記抽出手段は、前記入力手段により特定の所有者情報が指定された際に、当該所有者情報に対応付けて前記アドレス情報記憶手段に記憶された全てのアドレス情報に関連する画像データを前記記憶手段から抽出することを特徴としている。
【００１１】
請求項５に記載の発明は、請求項３に記載に記載の発明において、
前記送受信の際の情報を示す送受信情報を記憶する送受信情報記憶手段をさらに備え、
前記識別情報は、前記送受信情報が有する情報を含み、
前記抽出手段は、前記入力手段より指定された送受信情報に関連する画像データを前記アドレス情報記憶手段及び送受信情報記憶手段に記憶された情報に基づいて前記記憶手段から抽出することを特徴としている。
【００１２】
ここで、「送受信情報」とは、例えば、画像データを電子メールに添付して送受信を行った際の、送信者及び受信者の電子メールアドレス、メール本文、件名（サブジェクト）、ヘッダ情報、送受信日時等を意味する。
【００１３】
また、上記課題を解決するために、請求項６に記載の発明は、
画像データを再生表示する表示手段と画像データを記憶する記憶手段とを備える画像再生装置における画像再生方法であって、
前記画像データを識別するための識別情報を前記画像データと関連付けて前記記憶手段に記憶させる記憶制御工程と、
前記識別情報のうち特定の識別情報を指定するための入力工程と、
前記入力工程で指定された識別情報に関連する画像データを前記記憶手段から抽出する抽出工程と、
前記抽出された画像データを登録するための関連画像リストを生成する生成工程と、
前記生成された関連画像リストに登録された画像データを前記記憶手段から取得して前記表示手段に順次再生表示させる表示制御工程と、
を含むことを特徴としている。
【００１４】
請求項７に記載の発明は、請求項６に記載の発明において、
外部と画像データの送受信を行う送受信工程をさらに含み、
前記識別情報は、前記送受信工程で画像データの送受信を行うためのアドレス情報及び当該アドレス情報の所有者を示す所有者情報とを含むことを特徴としている。
【００１５】
請求項８に記載の発明は、請求項７に記載の発明において、
前記アドレス情報と所有者情報とを対応付けて記憶するアドレス情報記憶工程をさらに備え、
前記抽出工程は、前記入力工程で指定されたアドレス情報又は所有者情報に関連する画像データを前記アドレス情報記憶工程で記憶された情報に基づいて抽出することを特徴としている。
【００１６】
請求項９に記載の発明は、請求項８に記載の発明において、
前記抽出工程は、前記入力工程で特定の所有者情報が指定された際に、当該所有者情報に対応付けて前記アドレス情報記憶工程で記憶された全てのアドレス情報に関連する画像データを前記記憶手段から抽出することを特徴としている。
【００１７】
請求項１０に記載の発明は、請求項８に記載の発明において、
前記送受信の際の情報を示す送受信情報を記憶する送受信情報記憶工程をさらに備え、
前記識別情報は、前記送受信情報が有する情報を含み、
前記抽出工程は、前記入力工程で指定された送受信情報に関連する画像データを前記アドレス情報記憶工程及び送受信情報記憶工程で記憶された情報に基づいて抽出することを特徴としている。
【発明の効果】
【００１８】
請求項１、６に記載の発明によれば、画像データを識別するための識別情報を画像データと関連付けて記憶し、特定の識別情報が指定された際に、この指定された識別情報に関連する画像データを抽出して関連画像リストを生成し、この生成された関連画像リストに登録された画像データを取得して順次再生表示させるようにしたことにより、識別情報に関連する画像データの抽出を効率的に行うことが可能であり、抽出された画像データを順次再生表示することができる。したがって、ユーザは、予め再生する画像データの選択やグループ化、関連付け等を行う必要がないため、簡易な操作で関連する複数の画像データを表示させることができる。
【００１９】
請求項２、７に記載の発明によれば、外部と画像データの送受信を行うためのアドレス情報とこのアドレス情報の所有者情報とを識別情報としたことにより、アドレス情報又は所有者情報に関連する画像データの抽出を効率的に行うことが可能である。したがって、ユーザは、予め再生する画像データの選択やグループ化、関連付け等を行う必要がないため、簡易な操作でアドレス情報又は所有者情報に関連する複数の画像データを表示させることができる。
【００２０】
請求項３、８に記載の発明によれば、アドレス情報と所有者情報とを対応付けて記憶し、この記憶された情報に基づいて、ユーザから指定されるアドレス情報又は所有者情報に関連する画像データを抽出するようにしたことにより、アドレス情報及び所有者情報の相互に関連する画像データの抽出を効率的に行うことが可能である。したがって、ユーザは、予め再生する画像データの選択やグループ化、関連付け等を行う必要がないため、簡易な操作でアドレス情報又は所有者情報に関連する複数の画像データを表示させることができる。
【００２１】
請求項４、９に記載の発明によれば、特定の所有者情報が指定された際に、当該所有者情報に対応付けて記憶された全てのアドレス情報に関連する画像データを抽出するようにしたことにより、例えば、一の所有者が複数のアドレスを利用しているような場合であっても、その所有者に関連する全ての画像データを抽出することができる。したがって、画像データの抽出を効率的に行うことが可能であり、ユーザは、予め再生する画像データの選択やグループ化、関連付け等を行う必要がないため、簡易な操作で所有者情報に関連する複数の画像データを表示させることができる
【００２２】
請求項５、１０に記載の発明によれば、送受信の際の情報を示す送受信情報を記憶し、ユーザから識別情報として指定された送受信情報に関連する画像データをアドレス情報、所有者情報及び送受信情報に基づいて記憶手段から抽出するようにしたことにより、アドレス情報、所有者情報及び送受信情報の相互に関連する画像データの抽出を効率的に行うことが可能である。したがって、ユーザは、予め再生する画像データの選択やグループ化、関連付け等を行う必要がないため、簡易な操作でアドレス情報又は所有者情報に関連する複数の画像データを表示させることができる。
【発明を実施するための最良の形態】
【００２３】
以下、本発明の画像再生装置を撮像機能付き携帯電話端末１０に適用した例を、図１〜図５を参照して詳細に説明する。ただし、発明の範囲は、図示例に限定されないものとする。
【００２４】
まず、撮像機能付き携帯電話端末１０について説明する。図１は、撮像機能が付与された携帯電話端末１０の開状態における外観の正面図と背面図である。この携帯電話端末１０は二つ折りタイプであり、図１（ａ）は蓋を開いた状態の正面を示し、図１（ｂ）は蓋を開いた状態の背面を示している。
【００２５】
図１（ａ）において、携帯電話端末１０は、受話音声を出力するスピーカ１０１、図形や画像等の各種情報を表示する表示手段としてのメイン表示部１０２、通信サービス会社が採用する携帯用の無線プロトコルで使用する周波数帯に対応する通信用のアンテナ１０３、各種情報の入力や機能指示等を行う入力手段としての入力部１０４〜１１３、送話音声を集音するマイク１１４を備えている。
【００２６】
図１（ｂ）において、カメラモード等において録音機能を動作させた際に集音するためのマイク１１５、蓋が閉じた状態でも簡単なメッセージをユーザに知らせるためのカラー液晶のサブ表示部１１６、着信或いは警告等を報知する報知用ＬＥＤ（Light Emitting Diode）１１７、被写体を撮映する撮像レンズ１１８、撮影時において被写体周辺を明るくするために点灯するＬＥＤ１１９、着信音或いは警告音等を出力する報知用スピーカ１２０を有している。
【００２７】
また図１（ａ）において、入力部１０４〜１１３には、各モードにおいて特定の機能を動作させる場合や、カメラモードを動作させる場合に操作するカメラキー１０４、メールモードを動作させるためのメールキー１０５、各モードにおいて決定を指示する場合や、シャッター指示の際に操作する決定キー１０６、上下左右方向に指示選択可能であり各モードにおいて選択操作を行うための十字キー１０７、各モードにおいて特定の機能を動作させる場合やアドレス帳モードを動作させる場合に操作するアドレス帳キー１０８、インターネット接続を指示するためのＷｅｂキー１０９、各モードにおいて一つ前の状態を指示するためのクリアキー１１０、オフフックキー１１１、オンフック／電源ＯＮ／ＯＦＦキー１１２、文字入力及びダイアル入力を指示するためのテンキー１１３が配置されている。
【００２８】
各キーがユーザにより押圧操作されたときには、各キーに対応して割り当てられた動作モード、例えばカメラキー１０４には撮影モード、メールキー１０５にはメールモード、決定キー１０６及び十字キー１０７による操作により特定された動作モード、アドレス帳キー１０８にはアドレス帳検索モード、Ｗｅｂキー１０９にはＷｅｂモード、テンキー１１３には通話モードなどで、動作するようになっている。
【００２９】
図２は、図１に示した携帯電話端末１０の機能的構成例を示したブロック図である。携帯電話端末１０は、通信サービス会社が採用する無線信号形式及び変復調方式でアンテナ１０３を介して受信された無線信号について自携帯電話宛の無線信号を抽出し、且つ、制御部１２２より出力される各種デジタルデータを無線信号に変換してアンテナ１０３に出力する送受信手段としての無線部１２１、携帯電話端末１０の個別動作及び全体の動作を制御する記憶制御手段、抽出手段、生成手段、表示制御手段としての制御部１２２、破線で囲まれた周辺回路とのデータの入出力タイミングなどの転送制御及び管理を行うアドレス・データバス処理部１２３、各種データ（アドレス情報記憶手段としてのアドレス帳データや、送受信情報記憶手段としてのメールデータ、圧縮符号化された静止画像データや動画データ）を格納し、且つ、制御部１２２が動作する上で必要なデータを記憶する記憶手段、アドレス情報記憶手段、送受信情報記憶手段としてのＲＡＭ（Random Access Memory）１２４、電気的に書き換え可能なＦｌａｓｈ  ＲＯＭ（Read Only Memory）で構成され、カメラモードを含む各種モードで動作し画像圧縮伸張処理プログラム等を含むアプリケーションソフトウエアを格納するプログラムＲＯＭ１２５、デジタルデータ化されたメロディ音源情報を格納する音源ＩＣ１２７、画像ファイルに基づく画像、動作状況などの表示を行う表示手段としてのメイン表示部１０２、サブ表示部１１６、報知用ＬＥＤ１１７、及びＬＥＤ１１９の各種報知／表示出力を制御する表示モジュール系ドライバ１２８、後述の撮像デバイスから出力されるアナログの画像信号をデジタルの画像信号に変換するＤＳＰ（Digital Signal Processor）１２９、ＣＣＤ（Charge Coupled Device）やＣＭＯＳ（Complementary Metal Oxide Semiconductor）で構成され、画像を撮影し、この撮像したイメージを画像信号にして出力する撮像デバイス１３０からなる。
【００３０】
ＲＡＭ１２４，プログラムＲＯＭ１２５，音源ＩＣ１２６，表示モジュール系ドライバ１２８，ＤＳＰ１２９は、データバス１３１に接続されて、これら各部及び撮像デバイス１３０のデータ入出力のタイミングは、アドレス・データバス処理部１２３により制御、管理されるようになっている。
【００３１】
また、制御部１２２には、無線部１２１より入力されたデータについて予め設定された端末認証方式に基づいてデータの入出力を許可し、音声データ、及びメールデータや静止画データ、動画データを含むパケットデータの生成、復元及びそのデータ種類の判別、及び入出力制御を行う通信データ処理部１２２１、携帯電話端末自身に設定された電話番号やメールアドレスを含む加入者や端末固有に設定された認証データを記憶し、通信プロトコル処理プログラムを記憶するシステムＲＯＭ１２２２、音声通話や録音の際にマイク１１４、１１５から入力された音声をＣＥＬＰ系音声符号化方式に基づいて圧縮符号化し、一方では、音声通話処理や動画再生に伴い、通信データ処理部１２２１やアドレス・データバス処理部１２３より入力された圧縮音声データを復号化処理し、スピーカ１０１より出力させる処理を行うオーディオインターフェイス１２２３が含まれている。
【００３２】
また、制御部１２２は、画像データを識別する識別情報と画像データとを関連付けるための画像識別テーブルを生成してＲＡＭ１２４に記憶させる。ここで、識別情報とは、画像データを識別するための情報であって、例えば、撮影条件、画像撮影日時や画像生成日時、画像サイズ、画像編集処理による処理情報、画像ファイル名、電子メールの送受信に添付された場合の送信元、宛先を示す情報（電子メールアドレス及びその電子メールアドレスの所有者名）、送受信日時、画像データのダウンロード、アップロードした際のサイト名等の情報が画像データに関連付けられて画像識別テーブルに記憶されている。
【００３３】
また、制御部１２２は、スライドショー表示の際に表示を行う際に、ユーザから入力される識別情報に関連する画像データを画像識別テーブルから抽出し、抽出された画像データを登録するための関連画像リストをＲＡＭ１２４に生成し、この関連画像リストに基づいて画像データをメイン表示部１０２に順次再生表示させる。なお、識別情報が電子メールの送受信の際に添付された画像データを示すものである場合、制御部１２２は、関連画像リストとともにＲＡＭ１２４に記憶されたアドレス帳データ及び／又はメールデータに基づいて画像データの抽出を行う。
【００３４】
次に、図３〜図５を参照して本実施の形態の動作を説明する。
なお、動作説明の前提として、以下のフローチャートに記述されている各処理を実現するためのプログラムは、制御部１２２が読み取り可能なプログラムコードの形態でシステムＲＯＭ１２２２に格納されており、制御部１２２は、当該プログラムコードに従った動作を逐次実行する。
【００３５】
図３は、制御部１２２により実行される画像データ順次再生処理を示すフローチャートである。まず、ユーザから入力部１０４〜１１３を介して画像データのスライドショー表示を行う旨の信号が入力されると、メイン表示部１０２にスライドショーを行う画像データを抽出するための識別情報となる関連項目を選択する画面が表示される（ステップＳ１）。
【００３６】
図５（ａ）は、ステップＳ１の処理でメイン表示部１０２に表示された関連項目選択画面の一例を示す図である。ここで、「インターバル画像」とは、本携帯電話端末１０の撮像機能により所定の時間間隔で撮影された画像データ群を意味しており、「連射画像」とは、本携帯電話端末１０の撮像機能により連写（連続撮影）された画像データ群を意味している。「画像サイズ」とは、画像データの画像サイズを意味しており、「編集処理画像」とは、画像データに対して施された画像処理を意味している。また、「電子メール添付画像」とは、電子メールの送受信の際に添付された画像データを意味しており、「Ｗｅｂ画像」とは、Ｗｅｂサイトからのダウンロード又はアップロードされた画像データを意味している。
【００３７】
上記のように、特定の関連性をもつ画像データをＲＡＭ１２４に記憶された全画像データ中から抽出するための関連項目を、ユーザは入力部１０４〜１１３を介して選択することができる。なお、関連項目はこれらに限定されないものとする。
【００３８】
図３に戻り、ステップＳ１で表示された画面から、入力部１０４〜１１３を介して、特定の関連項目が指定されると（ステップＳ２；Ｙｅｓ）、選択された関連項目について詳細な設定を行う詳細設定画面がメイン表示部１０２に表示される（ステップＳ３）。続いて、詳細設定画面に基づいて、入力部１０４〜１１３を介して詳細な設定が指定されると（ステップＳ４；Ｙｅｓ）、入力された詳細設定情報に基づいて関連画像抽出処理（ステップＳ５）が実行される。
【００３９】
図５（ｂ）、（ｃ）はステップＳ３で表示される詳細設定画面の例を示す図である。なお、図５（ｂ）は、図５（ａ）で表示された「電子メール添付画像」が選択された場合の詳細設定画面であり、図５（ｃ）は、図５（ａ）で表示された「Ｗｅｂ画像」が選択された場合の詳細設定画面を示している。
【００４０】
図５（ｂ）に示すように、電子メール添付画像に関する詳細設定では、本携帯電話端末１０へ送信された電子メールの「送信元」又はその電子メールの「受信日時」、本携帯電話端末１０から発信した電子メールの「宛先」又はその「発信日時」、電子メールの送受信の際の「件名」を設定することができる。なお、詳細設定の項目は、これらに限らないものとする。
【００４１】
図５（ｃ）に示すように、Ｗｅｂ画像に関する詳細設定では、アップロード又はダウンロードを行った画像データの「ファイル名」、画像データの「ダウンロード日時」、画像データの「アップロード日時」、アップロード又はダウンロードを行うために接続した「サイト名」を設定することができる。なお、詳細設定の項目は、これらに限らないものとする。
【００４２】
ユーザは、図５（ｂ）、（ｃ）のように表示された詳細設定画面から特定の項目を入力部１０４〜１１３を介して選択し、さらにその選択した項目について、例えば、特定の日時や電子メールアドレス、ＵＲＬ等を手入力又は選択的に指定する。
【００４３】
なお、図５（ａ）で表示された関連項目のうち、「電子メール添付画像」及び「Ｗｅｂ画像」の詳細設定項目について説明したが、他の関連項目についてもそれぞれの特性に応じた詳細設定ができるものとする。例えば、関連項目が「インターバル画像」及び「連射画像」である場合、詳細設定項目では、画像データ群の撮影日時、撮影時間間隔、ズーム値や露出値等の撮影条件等が設定できることとしてもよい。また、関連項目が「画像サイズ」の場合、画像サイズが詳細設定項目で設定できるとし、例えば、ＱＶＧＡ、ＶＧＡ、ＸＶＧＡ又はその他の画像サイズと設定できることとしてもよい。また、関連項目が「編集処理画像」の場合、画像データに対して施された所定の画像処理が詳細設定項目で指定できるとし、例えば、フレーム処理、切り出し処理又はその他の効果等設定できることとしてもよい。
【００４４】
次に、ステップＳ５の関連画像抽出処理について図４を参照して説明する。
ステップＳ４でユーザにより指定された詳細設定情報は、画像データを特定するための識別情報として取得される（ステップＳ５１）。そして、取得された識別情報とＲＡＭ１２４に記憶された画像識別テーブルとが比較されて（ステップＳ５２）、この識別情報に関連する画像データが抽出される（ステップＳ５３）。なお、ここで各画像データを識別するために画像識別テーブルを用いることとしたが、これに限らず、ＲＡＭ１２４に記憶された各画像データのヘッダ情報等に識別情報を付帯させる形態としてもよく、その際にはユーザから入力された識別情報が、各画像データの付帯情報と逐次比較されることで関連する画像データが抽出されることとなる。
【００４５】
次いで、ステップＳ５３で抽出された画像データがＲＡＭ１２４に生成されたプレイリストに登録され（ステップＳ５４）、図３のステップＳ６に移行する。
【００４６】
なお、ステップＳ５３で取得された識別情報が、図５（ｂ）で示した「電子メール添付画像」に関連するものであった場合、ステップＳ５３の抽出処理では、画像識別テーブルとともにＲＡＭ１２４に記憶されたアドレス帳データが参照されて画像データが抽出される。例えば、図５（ｂ）の「送信元」として特定の電子メールアドレスの所有者名が指定された場合、アドレス帳データに所有者名と対応して記憶された電子メールアドレスが参照されて、その電子メールアドレスに関連する画像データが画像識別テーブルから抽出される。
【００４７】
このようにすることにより、電子メールアドレス及び当該電子メールアドレスの所有者の相互に関連する画像データの抽出を効率的に行うことができるため、例えば、ユーザから識別情報として入力された所有者名が、複数の電子メールアドレスを使用しているような場合であっても、その所有者名が使用する全ての電子メールアドレスに関連する画像データを抽出することができる。また、識別情報として特定の電子メールアドレスが指定された際に、画像識別テーブルとともにＲＡＭ１２４に記憶されたアドレス帳データを参照して指定された電子メールアドレスの所有者が使用する全ての電子メールアドレスに関連する画像データを抽出するようにしてもよい。
【００４８】
なお、アドレス帳データを利用せず、アドレス帳データと同様のデータを画像関連テーブルに記憶し、この記憶されたデータに基づいて画像データを抽出するようにしてもよい。
【００４９】
また、ステップＳ５３で取得された識別情報が、図５（ｂ）で示した電子メール送受信の際の「件名」であるような、メール送受信時の遣り取りを示す情報であった場合、ステップＳ５３の抽出処理では、画像識別テーブルとともにＲＡＭ１２４に記憶されたアドレス帳データ及びメールデータが参照され、ユーザから識別情報として入力された「件名」に対応する送受信メールに添付された画像データがＲＡＭ１２４から抽出されてプレイリストに登録されることとする。なお、メールデータには、メール本文、ヘッダ情報等が含まれているため、例えば、メール本文中の特定の文字列等を識別情報として指定することができるようにしてもよい。また、アドレス帳データ及びメールデータを参照することとしたが、何れか一方を参照するようにしてもよい。
【００５０】
図３に戻り、ステップＳ５４で生成されたプレイリストに記憶された画像データのサムネイル画像がＲＡＭ１２４から取得され、メイン表示部１０２に一覧表示される（ステップＳ６）。
【００５１】
次いで、ユーザから入力部１０４〜１１３を介してスライドショーを行う旨の指示情報が入力されると（ステップＳ７；Ｙｅｓ）、プレイリストに記憶された画像データのうち一の画像データがＲＡＭ１２４から取得されて、メイン表示部１０２に表示される（ステップＳ８）。
【００５２】
続いて、画像データをメイン表示部１０２に表示してから所定時間が経過したかが判別され（ステップＳ９）、所定時間が経過した場合（ステップＳ９；Ｙｅｓ）、次にスライドショー表示すべき画像データがプレイリストに登録されているか否かが判別される（ステップＳ１０）。
【００５３】
ステップＳ１０でプレイリストに表示すべき画像データがある場合（ステップＳ１０；Ｙｅｓ）、ステップＳ８に移行し、次の一の画像データが取得されてメイン表示部１０２に表示され、ステップＳ８〜Ｓ１０が繰返し実行される。また、プレイリストに表示すべき画像データが登録されていない場合（ステップＳ１０；Ｎｏ）、プレイリストに登録された全ての画像データの表示が終了したと判断されて、本処理は終了する。
【００５４】
図５（ｄ）は、特定の識別情報に基づいて抽出された画像データのサムネイル画像が一覧表示された画面の一例を示している。図５（ｄ）に示すように、メイン表示部１０２に９枚の関連する画像データのサムネイル画像（画像１〜画像９）が表示されている。ここで、ユーザから入力部１０４〜１１３を介してスライドショーを行う旨の指示情報が入力されると、サムネイル画像に対応する画像データの取得と表示とが画像１から画像９まで順次行われる。
【００５５】
ここで、ユーザの操作により特定のサムネイル画像が選択された後、例えば、画像５が選択された後、スライドショーを行う旨の指示情報が入力されたとすると、画像５から画像９に対応する画像データの取得と表示とが順次行われるものとする。なお、画像データの表示の順序を、画像１〜画像９へと昇順に再生表示することとしたが、これに限らず、降順としてもよいし、ランダムに再生表示することとしてもよい。また、スライドショー表示の際の画像データを表示保持する所定時間は、入力部１０４〜１１３を介して調整可能とすることが好ましい。また、スライドショー表示中の画像データに対し、例えば、表示中の画像データの削除、編集等所定の処理を、入力部１０４〜１１３を介して指示できるようにしてもよい。
【００５６】
以上のように、画像データを識別するための識別情報を画像データと関連付けて記憶し、特定の識別情報が指定された際に、この指定された識別情報に関連する画像データを抽出して関連画像リストを生成し、この生成された関連画像リストに登録された画像データを取得して順次再生表示させるようにしたことにより、識別情報に関連する画像データの抽出を効率的に行うことが可能であり、抽出された画像データを順次再生表示することができる。したがって、ユーザは、予め再生する画像データの選択やグループ化、関連付け等を行う必要がないため、簡易な操作で関連する複数の画像データを表示させることができる。
【００５７】
本実施の形態における記述は、本発明に係る撮像装置の一例を示すものであり、これに限定されるものではない。本実施の形態における携帯電話端末１０の細部構成及び詳細動作に関しては、本発明の趣旨を逸脱しない範囲で適宜変更可能である。
【００５８】
例えば、本発明の画像再生装置として携帯電話端末を用いて説明したが、これに限らず、ＰＤＡ（Personal Digital Assistant）、デジタルカメラ、ＰＣ（Personal Computer）等の装置であってもよく、その際には、インターネットとの接続が可能な機能を備えた装置であることがより好ましい。
【図面の簡単な説明】
【００５９】
【図１】本発明の実施形態に使用される撮像機能が付与された携帯電話端末の開状態における外観の正面図（ａ）及び背面図（ｂ）である。
【図２】携帯電話端末の機能的構成について示すブロック図である。
【図３】画像データ順次再生処理を示すフローチャートである。
【図４】関連画像抽理処理を示すフローチャートである。
【図５】携帯電話端末のメイン表示部に表示される画面の一例を示す図である。
【符号の説明】
【００６０】
１０  携帯電話端末
１０２  メイン表示部
１０３  アンテナ
１１８  撮像レンズ
１２１  無線部
１２２  制御部
１２４  ＲＡＭ
１２５  プログラムＲＯＭ
１３０  撮像デバイス
１２２１  通信データ処理部
１２２２  システムＲＯＭ
【図１】
2005295374.tif 000003
【図２】
2005295374.tif 000004
【図３】
2005295374.tif 000005
【図４】
2005295374.tif 000006
【図５】
2005295374.tif 000007